【手続補正書】
【提出日】平成19年4月6日(2007.4.6)
【手続補正１】
【補正対象書類名】明細書
【補正対象項目名】特許請求の範囲
【補正方法】変更
【補正の内容】
【特許請求の範囲】  
【請求項１】
転動体が負荷を受けながら転がり運動する軌道面が形成された第１部材と、該第１部材が前記転動体を介して取り付けられ該第１部材を所定の方向に案内可能に構成された第２部材とを備え、前記転動体が前記軌道面に整列状態で出入りすることで、前記第１部材が前記第２部材の案内方向に移動可能に構成された転がり機械要素において、前記転動体の出入り点となる前記第１部材の軌道面の端部に楕円形（円弧形を除く）のクラウニングが形成されたことを特徴とする転がり機械要素。
【請求項２】
転動体が負荷を受けながら転がり運動する軌道面が形成された第１部材と、該第１部材が前記転動体を介して取り付けられ該第１部材を所定の方向に案内可能に構成された第２部材とを備え、前記転動体が前記軌道面に整列状態で出入りすることで、前記第１部材が前記第２部材の案内方向に移動可能に構成された転がり機械要素において、前記転動体の出入り点となる前記第１部材の軌道面の端部に、所定のクラウニング逃げ量を短軸の１／２とする楕円形（円弧形を除く）のクラウニングが形成されたことを特徴とする転がり機械要素。
【請求項３】
転動体が負荷を受けながら転がり運動する軌道面が形成された第１部材と、該第１部材が前記転動体を介して取り付けられ該第１部材を所定の方向に案内可能に構成された第２部材とを備え、前記転動体が前記軌道面に整列状態で出入りすることで、前記第１部材が前記第２部材の案内方向に移動可能に構成された転がり機械要素において、前記転動体の出入り点となる前記第１部材の軌道面の端部に、所定のクラウニング逃げ量を短軸の１／２とする楕円（円弧を除く）を基礎とし、該楕円上の複数点を頂点とすると共に、前記転動体が負荷を受けながら転がり運動する多角形形状のクラウニングが形成されたことを特徴とする転がり機械要素。
【請求項４】
転動体が負荷を受けながら転がり運動する軌道面が形成された第１部材と、該第１部材が前記転動体を介して取り付けられ該第１部材を所定の方向に案内可能に構成された第２部材とを備え、前記転動体が前記軌道面に整列状態で出入りすることで、前記第１部材が前記第２部材の案内方向に移動可能に構成された転がり機械要素において、前記転動体の出入り点となる前記第１部材の軌道面の端部に楕円形（円弧形を除く）を基礎とし、該楕円上の複数点を頂点とすると共に、前記転動体が負荷を受けながら転がり運動する多角形形状のクラウニングが形成されたことを特徴とする転がり機械要素。
【手続補正２】
【補正対象書類名】明細書
【補正対象項目名】００１１
【補正方法】変更
【補正の内容】
【００１１】
【発明が解決しようとする課題】
本発明は、上記した従来技術の欠点を除くためになされたものであって、その目的とするところは、転動体が負荷を受けながら転がり運動する軌道面が形成された第１部材と、該第１部材が転動体を介して取り付けられ該第１部材を所定の方向に案内可能に構成された第２部材とを備え、転動体が軌道面に整列状態で出入りすることで、第１部材が第２部材の案内方向に移動可能に構成された転がり機械要素において、転動体の出入り点となる第１部材の軌道面の端部に楕円形のクラウニングを形成することによって、クラウニングの範囲内に位置する転動体の負荷率を向上させて転がり機械要素の負荷容量、剛性及び精度を高めることである。
【手続補正３】
【補正対象書類名】明細書
【補正対象項目名】００１２
【補正方法】変更
【補正の内容】
【００１２】
また他の目的は、上記構成において、転動体の出入り点となる第１部材の軌道面の端部に、所定のクラウニング逃げ量を短軸の１／２とする楕円形のクラウニングを形成することによって、規格や仕様等によって定められた最大ラジアル荷重が作用したときにクラウニング端に位置する転動体に作用する転動体荷重がちょうど０となるようにすることであり、またこれによって転動体の負荷率を高く維持しつつ、軌道面負荷圏への転動体の滑らかな進入と送出を可能にすることである。
【手続補正４】
【補正対象書類名】明細書
【補正対象項目名】００１３
【補正方法】変更
【補正の内容】
【００１３】
更に他の目的は、上記構成において、第１部材の軌道面の端部に、所定のクラウニング逃げ量を短軸の１／２とする楕円を基礎とし、該楕円上の複数点を頂点とする多角形形状のクラウニングを形成することによって、クラウニングの加工を容易にし、負荷容量、剛性及び精度を高めた転がり機械要素の製造コストを低減させることである。
【手続補正５】
【補正対象書類名】明細書
【補正対象項目名】００１４
【補正方法】変更
【補正の内容】
【００１４】
【課題を解決するための手段】
要するに本発明（請求項１）は、転動体が負荷を受けながら転がり運動する軌道面が形成された第１部材と、該第１部材が転動体を介して取り付けられ該第１部材を所定の方向に案内可能に構成された第２部材とを備え、前記転動体が前記軌道面に整列状態で出入りすることで、前記第１部材が前記第２部材の案内方向に移動可能に構成された転がり機械要素において、前記転動体の出入り点となる前記第１部材の軌道面の端部に楕円形（円弧形を除く）のクラウニングが形成されたことを特徴とするものである。
【手続補正６】
【補正対象書類名】明細書
【補正対象項目名】００１５
【補正方法】変更
【補正の内容】
【００１５】
また本発明（請求項２）は、転動体が負荷を受けながら転がり運動する軌道面が形成された第１部材と、該第１部材が前記転動体を介して取り付けられ該第１部材を所定の方向に案内可能に構成された第２部材とを備え、前記転動体が前記軌道面に整列状態で出入りすることで、前記第１部材が前記第２部材の案内方向に移動可能に構成された転がり機械要素において、前記転動体の出入り点となる前記第１部材の軌道面の端部に、所定のクラウニング逃げ量を短軸の１／２とする楕円形（円弧形を除く）のクラウニングが形成されたことを特徴とするものである。
【手続補正７】
【補正対象書類名】明細書
【補正対象項目名】００１６
【補正方法】変更
【補正の内容】
【００１６】
また本発明（請求項３）は、転動体が負荷を受けながら転がり運動する軌道面が形成された第１部材と、該第１部材が前記転動体を介して取り付けられ該第１部材を所定の方向に案内可能に構成された第２部材とを備え、前記転動体が前記軌道面に整列状態で出入りすることで、前記第１部材が前記第２部材の案内方向に移動可能に構成された転がり機械要素において、前記転動体の出入り点となる前記第１部材の軌道面の端部に、所定のクラウニング逃げ量を短軸の１／２とする楕円（円弧を除く）を基礎とし、該楕円上の複数点を頂点とすると共に、前記転動体が負荷を受けながら転がり運動する多角形形状のクラウニングが形成されたことを特徴とするものである。
また本発明（請求項４）は、転動体が負荷を受けながら転がり運動する軌道面が形成された第１部材と、該第１部材が前記転動体を介して取り付けられ該第１部材を所定の方向に案内可能に構成された第２部材とを備え、前記転動体が前記軌道面に整列状態で出入りすることで、前記第１部材が前記第２部材の案内方向に移動可能に構成された転がり機械要素において、前記転動体の出入り点となる前記第１部材の軌道面の端部に楕円形（円弧形を除く）を基礎とし、該楕円上の複数点を頂点とすると共に、前記転動体が負荷を受けながら転がり運動する多角形形状のクラウニングが形成されたことを特徴とするものである。
【手続補正８】
【補正対象書類名】明細書
【補正対象項目名】００１８
【補正方法】変更
【補正の内容】
【００１８】
クラウニング始点ｏを原点とし、軌道面１４方向をｘ軸、ガイドブロック１１の高さ方向をｙ軸とすると、長軸の１／２（クラウニング逃げ幅）Ｘｒ、短軸の１／２（クラウニング逃げ量）λｅより、楕円形１５の方程式は、数式３で表される。
【手続補正９】
【補正対象書類名】明細書
【補正対象項目名】００２２
【補正方法】変更
【補正の内容】
【００２２】
次に本発明の第２実施例に係る転がり機械要素２０は、図２から図４において、軌道面２４が形成された第１部材の一例たるガイドブロック２１と、該ガイドブロック２１が転動体の一例たる玉１３を介して取り付けられ、該ガイドブロック２１を所定の方向に案内可能に構成された第２部材の一例たるレール２２とを備え、該玉１３がガイドブロック２１の軌道面２４に整列状態で出入りすることで、ガイドブロック２１がレール２２の案内方向に移動可能に構成された、例えばボールガイドであり、玉１３の出入り点となるガイドブロック２１の軌道面２４の端部に、所定のクラウニング逃げ量λｅを短軸の１／２とする楕円１５を基礎とし、該楕円１５上の複数点ａ，ｂ，ｃ，ｏを頂点とする多角形形状のクラウニング２４ａが形成されている。
【手続補正１０】
【補正対象書類名】明細書
【補正対象項目名】００３３
【補正方法】変更
【補正の内容】
【００３３】
表１における第１列は、図１において、クラウニング始点ｏからｘ軸方向の距離と、楕円形１５の長軸の１／２（クラウニング幅）Ｘｒの比であり、無次元量である。第２列と第３列は、従来例に係る円弧クラウニング及び放物線クラウニングの場合を示し、第４列と第５列は、本発明に係る楕円クラウニングの場合を示している。第２列と第４列は、クラウニング始点ｏからｙ軸方向の距離λｘ を示し、第３列と第５列は、玉の負荷率（１−λｘ ／λｅ ）１．５を示している。なお、円弧クラウニングと放物線クラウニングは２次式のため、距離λｘ は有効数字の範囲で合致し、負荷率も一致するため同じ欄に記載している。
【手続補正１１】
【補正対象書類名】明細書
【補正対象項目名】００５０
【補正方法】変更
【補正の内容】
【００５０】
【発明の効果】
本発明は、上記のように軌道面が形成された第１部材と、該第１部材が転動体を介して取り付けられ該第１部材を所定の方向に案内可能に構成された第２部材とを備え、転動体が軌道面に整列状態で出入りすることで、第１部材が第２部材の案内方向に移動可能に構成された転がり機械要素において、転動体の出入り点となる前記第１部材の軌道面の端部に楕円形のクラウニングを形成したので、クラウニングの範囲内に位置する転動体の負荷率を向上させることができるため、転がり機械要素の負荷容量、剛性及び精度を高めることができる効果がある。
【手続補正１２】
【補正対象書類名】明細書
【補正対象項目名】００５１
【補正方法】変更
【補正の内容】
【００５１】
また上記構成において、転動体の出入り点となる第１部材の軌道面の端部に、所定のクラウニング逃げ量を短軸の１／２とする楕円形のクラウニングを形成したので、規格や仕様等によって定められた最大ラジアル荷重が作用したときにクラウニング端に位置する転動体に作用する転動体荷重がちょうど０となるようにすることができ、またこの結果転動体の負荷率を高く維持しつつ、軌道面負荷圏への転動体の滑らかな進入と送出を可能にし得る効果がある。
【手続補正１３】
【補正対象書類名】明細書
【補正対象項目名】００５２
【補正方法】変更
【補正の内容】
【００５２】
更には、上記構成において、第１部材の軌道面の端部に、所定のクラウニング逃げ量を短軸の１／２とする楕円を基礎とし、該楕円上の複数点を頂点とする多角形形状のクラウニングを形成したので、クラウニングの加工を容易にし得、負荷容量、剛性及び精度を高めた転がり機械要素の製造コストを低減させることができる効果が得られる。